(57)【要約】【課題】全体でどれくらいの数の操作ボタンがあるのかをユーザーが直観的にわかるようにする。【解決手段】本発明の表示操作装置は、表示装置（２）と、前記表示装置（２）の表示画面に機能選択画面を表示する場合に、機能を立体的な操作ボタンで表示すると共に、全ての機能に対応する全ての立体的な操作ボタン（１０）を鳥瞰図的に前記表示装置（２）に表示する表示制御手段（３、５）とを備えたところに特徴を有する。【選択図】図２
2014137774.tif 000002
【特許請求の範囲】
【請求項１】
表示装置（２）と、
前記表示装置（２）の表示画面に機能選択画面を表示する場合に、機能を立体的な操作ボタンで表示すると共に、全ての機能に対応する全ての立体的な操作ボタン（１０）を鳥瞰図的に前記表示装置（２）に表示する表示制御手段（３、５）とを備えたことを特徴とする表示操作装置。
【請求項２】
前記表示制御手段（３、５）は、前記表示装置（２）に立体的に表示された操作ボタン（１０）を手前方向または奥方へ移動させることにより拡大または縮小表示することを特徴とする請求項１記載の表示操作装置。
【請求項３】
前記表示制御手段（３、５）は、前記表示装置（２）に立体的に表示された操作ボタン（１０）の中の所望の１つが選択されて操作されたときに、前記操作された操作ボタン（１０）を立体的に押し込み操作されたように表示することを特徴とする請求項１または２記載の表示操作装置。
【請求項４】
前記表示制御手段（２）は、前記表示装置（２）に立体的に表示された操作ボタン（１０）の中の所望の１つが選択されて操作されたときに、前記操作された操作ボタン（１０）を立体的に押し倒し操作されたように表示することを特徴とする請求項１または２記載の表示操作装置。
【発明の詳細な説明】
【技術分野】
【０００１】
本発明は、表示装置の表示操作装置に関する。
【背景技術】
【０００２】
例えばタブレットＰＣの場合、機能選択画面（以降、メニュー画面と称す）には、ほぼ同じ大きさの（そして形状もほぼ同じ）アイコンまたは操作ボタン（操作スイッチ）等を格子状に配置している。そして、機能の個数、即ち、操作ボタンの個数が多くて、１画面に配置して表示できない場合には、配置できない操作ボタンを別ページ（別画面）に配置するように構成している。この構成では、ユーザーが画面をスクロールさせることにより、別ページに配置した操作ボタンを画面に表示させてユーザーが操作可能なように構成している。
【先行技術文献】
【特許文献】
【０００３】
【特許文献１】特開平１０−２６０６７１号公報
【発明の概要】
【発明が解決しようとする課題】
【０００４】
上記従来構成の場合、別ページ（別画面）のページ数（画面数）を他のシンボルで表示したり、フォルダー毎に分類されたイメージで表示したりして、操作ボタンの別ページが存在することをユーザーに知らしている。しかし、この構成では、１つの画面に表示される操作ボタンの個数が少ないので、全体でどれくらいの個数の操作ボタン（機能）があるのかユーザーがよくわからないという問題点があった。
【０００５】
そこで、本発明の目的は、全体でどれくらいの数の操作ボタンがあるのかをユーザーが直観的にわかることができる表示操作装置を提供することにある。
【課題を解決するための手段】
【０００６】
請求項１の発明によれば、表示装置の表示画面に機能選択画面を表示する場合に、機能を立体的な操作ボタンで表示すると共に、全ての機能に対応する全ての立体的な操作ボタンを鳥瞰図的に前記表示装置に表示する表示制御手段を備えたので、ユーザは表示装置の表示画面をざっと見るだけで、全体でどれくらいの数の操作ボタンがあるのかが直観的にわかる。
【図面の簡単な説明】
【０００７】
【図１】本発明の第１実施形態を示す表示操作装置の電気的構成を示すブロック図
【図２】ディスプレイの表示画面に全ての機能に対応する全ての立体的な操作ボタンを鳥瞰図的に表示した一例を示す図
【図３】立体的な操作ボタンを鳥瞰図的に表示する表示制御を説明する図
【図４】奥に表示されている操作ボタンを手前へ移動させて拡大して表示した一例を示す図
【図５】操作ボタンをタッチ操作した状態を示す図３相当図
【図６】本発明の第２実施形態を示す図５相当図
【発明を実施するための形態】
【０００８】
以下、本発明の第１実施形態について、図１ないし図５を参照して説明する。本実施形態の表示操作装置１は、例えば車両に搭載される車載装置であり、カーナビゲーション装置のディスプレイとして使用したり、ＤＣＵ（Display Control Unit）として使用したりするものである。表示操作装置１は、図１に示すように、ディスプレイ（表示装置）２と、グラフィックコントローラ３と、ビデオＲＡＭ４と、マイクロコンピュータ５と、操作部６と、ＲＡＭ７と、ＲＯＭ８と、通信部９とを備えて構成されている。
【０００９】
ディスプレイ２は、例えばカラー表示可能な液晶ディスプレイで構成され、その表示画面にはタッチパネルが設けられている。マイクロコンピュータ５は、制御プログラムに従って動作し、表示操作装置１全体を制御する機能を有する。ＲＡＭ７には、マイクロコンピュータ５の処理に必要な情報が一時的に記憶される。ＲＯＭ８には、制御プログラムや種々の情報等が記憶される。
【００１０】
グラフィックコントローラ３は、マイクロコンピュータ５からの指令に従ってディスプレイ２の表示画面における画像表示を制御する機能を有する。このグラフィックコントローラ３及び上記マイクロコンピュータ５が表示制御手段を構成する。ビデオＲＡＭ４には、グラフィックコントローラ３によって生成される画像のデータが一時的に記憶される。
【００１１】
操作部６は、ディスプレイ２の表示画面に設けられたタッチパネルや、ディスプレイ２の本体または手元に設けられたメカスイッチ（プッシュスイッチ、ジョイスティック、十字カーソルキー等）を備える。尚、操作部６は、メカスイッチやタッチパネルを有するリモコンを備えるように構成しても良い。また、操作部６は、タッチパネルを備えない構成であっても良い。
【００１２】
通信部９は、車両に搭載された車載ＬＡＮに接続され、該車載ＬＡＮに接続された種々の車載機器と通信する機能を有する。尚、通信部９は、無線ＬＡＮやブルートゥース等の無線通信機能を備えるように構成しても良い。
【００１３】
次に、上記構成の表示操作装置１の動作について、図２ないし図５を参照して説明する。表示操作装置１のマイクロコンピュータ５及びグラフィックコントローラ３は、図２に示すように、同一水準のすべての機能（メニュー）の各操作ボタン（操作スイッチ）１０を、鳥瞰図的に配置してディスプレイ２に表示する。この図２に示す表示画面を表示するために、表示操作装置１においては、同一水準のすべての機能の各操作ボタン１０の３次元モデルデータを、ＲＯＭ８等内に記憶している。
【００１４】
そして、表示操作装置１のマイクロコンピュータ５及びグラフィックコントローラ３は、３次元のグラフィックエンジンを用いた表示コントローラ機能を有しており、図３に示すように、３次元空間のグラフィック制御を実行することが可能な構成となっている。この構成の場合、図３に示すように、同一水準のすべての機能の各操作ボタン（３次元モデルデータ）１０に対して斜め上方からライト１１を用いて光を照射した状態で、カメラ１２で同一水準のすべての機能の各操作ボタン（３次元モデルデータ）１０を撮影し、この撮影した画像（鳥瞰図的な画像）を操作ボタン１０の画面としてディスプレイ２に表示している。この画面においては、最も手前（最前行）の操作ボタン１０は、周知構成のディスプレイに表示される操作ボタンの大きさとほぼ同じ大きさで表示される。そして、奥方へ行くに従って、操作ボタン１０の大きさは小さくなるように表示されている。
【００１５】
更に、３次元空間のグラフィック制御によって、カメラ１１のポジションをＸＹＺ方向へ移動させることが可能である。例えば、カメラ１１のポジションを奥方へ移動させることにより、操作ボタンの画像を拡大させ、図２の画面から図４の画面（図２中の例えば奥方の３行目の行の操作ボタン（「Ａｕｄｉｏ」の操作ボタン）１０を最も手前へ持ってきて拡大して表示した画面）を表示させることができる。
【００１６】
尚、カメラ１１のポジションを移動させる代わりに、カメラ１１を固定し、上記各操作ボタン１０の３次元モデルデータ側をＸＹＺ方向へ移動させることも可能である。例えば、上記各操作ボタン１０の３次元モデルデータ側をカメラ１１へ近付けるように移動させることにより、奥方の行の操作ボタン１０の画像を拡大して表示させることができ、図２の画面から図４の画面を表示させることができる。
【００１７】
そして、操作ボタンの画面を上記したようにして例えば拡大させるために行うユーザーの具体的操作方法としては、ディスプレイ２の画面のタッチパネルを操作する場合には、例えばマルチタッチによる拡大操作や深度レベルバーによる移動操作等を利用することが好ましい。また、ディスプレイ２の外部メカスイッチ（ジョイスティックや十字カーソル等）を操作する場合には、ジョイスティックや十字カーソル等による移動操作を利用して、操作したい所望の操作ボタンを探し出して拡大表示し、選択操作する。
【００１８】
また、本実施形態では、図５に示すように、ユーザーにより選択されてタッチ操作（または押下操作）された操作ボタン（例えば「Ｎａｖi」操作ボタン）１０については、３次元表示を生かした操作ボタン１０の押し込み表示を行うように構成した。この場合、操作ボタン１０がタッチ操作されたら、操作ボタン１０の押し込み状態の表示（図５参照）を例えば０．２５〜０．５秒程度の時間保持した後、その操作ボタン１０が示す機能（作業メニュー）の最初の画面へ移行（表示）するように構成されている。
【００１９】
上記した構成の本実施形態によれば、ディスプレイ２の表示画面に機能選択画面（メニュー画面）を表示する場合に、図２に示すように、機能を立体的な操作ボタン１０で表示すると共に、同一水準のすべての機能に対応するすべての立体的な操作ボタン１０を鳥瞰図的にディスプレイ２に表示するように構成したので、ユーザはディスプレイ２の表示画面をざっと見るだけで、全体でどれくらいの数の操作ボタン、即ち、機能があるのかを直観的に理解することができる。そして、この構成において、ディスプレイ２の画面の奥方に表示されている小さい形状の操作ボタン１０の文字等を確認したい場合には、上記奥方の操作ボタン１０を手前へ移動操作することにより、該操作ボタン１０を拡大して表示させるようにすれば良い。
【００２０】
また、本実施形態では、ユーザーにより選択されてタッチ操作された操作ボタン（例えば「Ｎａｖi」操作ボタン）１０については、図５に示すように、３次元表示を生かした操作ボタン１０の押し込み表示を行うように構成したので、ユーザーは、タッチ操作したときに好ましい操作感を感じることができる。
【００２１】
尚、上記実施形態では、ユーザーにより操作された操作ボタン１０については、押し込み表示を行うように構成したが、これに代えて、上記操作ボタンを色反転表示したり、それまで表示されていた色と異なる色で表示したりしても良い。
【００２２】
また、図６に示す本発明の第２実施形態のように、ユーザーにより操作された操作ボタン例えば「Ｎａｖi」操作ボタン）１０を、例えば後方へ押し倒し操作するように表示しても良い。尚、上述した以外の第２実施形態の構成は、第１実施形態と同じ構成となっている。従って、第２実施形態においても、第１実施形態とほぼ同じ作用効果を得ることができる。
【００２３】
尚、上記各実施形態においては、本発明を車載装置に適用したが、これに限られるものではなく、パソコンやタブレットＰＣやスマートフォン等に適用しても良い。
【符号の説明】
【００２４】
図面中、１は表示操作装置、２はディスプレイ（表示装置）、３はグラフィックコントローラ、４はビデオＲＡＭ、５はマイクロコンピュータ、６は操作部、１０は操作ボタン、１２はカメラを示す。
【図１】
2014137774.tif 000003
【図２】
2014137774.tif 000004
【図３】
2014137774.tif 000005
【図４】
2014137774.tif 000006
【図５】
2014137774.tif 000007
【図６】
2014137774.tif 000008